(57)【要約】【課題】平衡感覚および姿勢のリハビリテーションや美容スタイル訓練、各段階の体力強化訓練のための歩行等運動を、足裏へローラーマッサージを付与しながら、色々な方法と負荷強度で行える、動力の要らない便利な運動用器具を提供する。【解決手段】複数列遊転ローラーで成るローラーテーブル（１）と手摺（２）と腰部保持具（３）と引寄せゴム（４）とストッパー（５）と傾斜付加装置（６）で構成する。【選択図】  図１
2004154511.tif 000002
【特許請求の範囲】
【請求項１】
運動用床が２列以上の垂直回転する遊転ローラー群構造のローラーテーブル（１）から成ることを特徴とする運動用器具。
【請求項２】
腰部保持具（３）を設けることを特徴とした請求項１記載の運動用器具。
【請求項３】
運動中の脚をローラーテーブル中央部に引き戻すための引寄せゴム（４）を設けることを特徴とした請求項１記載の運動用器具。
【発明の詳細な説明】
【０００１】
【発明の属する技術分野】
本発明は、室内等狭い場所での歩行等の運動が行えるようにした運動用器具に関するもので、ローラーテーブルから成る踏み面に立ち載って、踏み足にローラーで足裏マッサージを付与しながら脚の前後開閉揺動運動や歩行・徒走運動等の足腰の運動、姿勢および平衡感覚の訓練を行うようにしたものである。
【０００２】
【従来の技術】
代表的な歩行運動器具として無端ベルト上に立ち載って一定位置で歩行運動を行うものが知られている。そして、無端ベルトの踏み面に摩擦用突起やマグネット製突起を設け、踏み足の裏のつぼを刺激して健康増進を図るものがある（例えば、特許文献１、２参照）。また、無端ベルト式のもので体保持具を備えてリハビリテーションや美容スタイル訓練を行う姿勢矯正訓練器具がある（例えば、特許文献３参照）。さらに別方式の歩行運動器具としては、単列の遊転ローラーテーブルで成るローラーの外周面に設けた凹凸で踏み足の足裏のつぼを刺激して健康増進を図るものもある（例えば、特許文献４参照）。また歩行運動器具とは異なるが、踏み面が傾斜旋回しながら水平円運動する足載体に老人やリハビリテーションを要する患者が立ち載りして足腰の筋肉および平衡感覚の機能回復訓練を行うリハビリ用の運動器具がある（例えば、特許文献５参照）。
【０００３】
【特許文献１】
登録実用新案第３０３２３１８号公報（
【０００６】〜
【０００９】、第１図）
【特許文献２】
特許第２９２９４５７号公報（
【実施例】３２〜３７行目、第１，３図）
【特許文献３】
特公平７−４９０６１号公報（
【産業上の利用分野】、第１図）
【特許文献４】
登録実用新案第３０３０１４４号公報（
【０００４】〜
【０００７】、第１図）
【特許文献５】
特許第３０７１３７８号公報（
【０００９】、
【００１０】、第１，２図）
【０００４】
【発明が解決しようとする課題】
従来の技術では前述のように、一つの装置でいろいろな種類の運動ができかつ運動負荷強度を弱者から強健者までに適応できる足腰訓練用の運動器具は無く、その開発が待たれていた。
本発明は、平衡感覚および姿勢のリハビリテーションや美容スタイル訓練、各段階の体力強化訓練のための歩行等運動を、足裏へローラーマッサージを付与しながら、色々な方法と負荷強度で行える、動力の要らない便利な運動用器具を提供する。
【０００５】
【課題を解決するための手段】
上記の課題を解決するために、歩行等足腰運動器具を複数列で成るローラーテーブル（１）と手摺（２）と腰部保持具（３）と引寄せゴム（４）とストッパー（５）と傾斜付加装置（６）で構成する。
ローラーテーブル（１）は２列以上の遊転ローラー群構造の各ローラー回転軸を互いに平行にして平滑な面状に配列した一種のローラーテーブルである。ローラーテーブル（１）はその上面を前後に自由に垂直回転する遊転ローラー群で滑らかなテーブル面状態に構成した運動者が立ち載って足踏みやその他の色々な足腰の運動を行うための運動用床で運動中にローラー群で踏み足へ足裏マッサージを付与するものである。手摺（２）はローラーテーブル（１）の両側にまたは前方中央上部に設置して運動者が手で握り持って身体を安全な体勢に保持するためのものである。腰部保持具（３）はバンドや支柱等の部材を用いて運動者の腰部をローラーテーブル（１）中央上部位置のある範囲以内に保持して運動し易くするためと、腰部を保持して足が滑って転倒し掛けても腰部が着床、打撲することのないように身体の安全を確保するためのものである。引寄せゴム（４）は運動者の脚を中央に寄せる様に作用し歩行等運動をし易く補助するためのもので、滑車を介してローラーテーブル（１）の枠に保持してある。ストッパー（５）は脚足の運動巾等を安全な所望の範囲に制限して脚足の暴走を抑え、運動し易くするためのものである。傾斜付加装置（６）はローラーテーブル（１）枠の前方側を上昇させてローラーテーブル（１）の運動用床面を傾斜させて保持し運動態様に変化を付加するためのものである。
【０００６】
【発明の実施の形態】
【実施例１】以下、本発明の実施の形態について説明する。代表的な一例を図１に示す。ローラーテーブル（１）と手摺（２）と腰部保持具（３）と引寄せゴム（４）とストッパー（５）と傾斜付加装置（６）で構成した歩行等足腰運動器具の例でのある。
【０００７】
ローラーテーブル（１）は複列の遊転ローラー群構造の各ローラー回転軸を互いに平行にして平面状に配列した一種のローラーテーブルで、ローラーテーブル（１）上面の運動床即ち踏み面（Ｓ）は前後に自由に垂直回転する遊転ローラー群で成る前後に滑る擬似平面床で運動者が立ち載って足踏みやその他の色々な足腰の運動を行うための言わば運動用の前後方向自由滑り型ローラーテーブルである。
【０００８】
ローラーテーブル（１）の第１の実施例は対の縦桟（１３２）でローラー（１４）の左右を支持するローラーテーブルの例である。その部分拡大図を図２，３に示す。図２は右半分を断面図で示した平面図で、図３は図２のＡＡ断面の側面図である。前後フレーム（１２２）と左右フレーム（１２１）とで作った枠中を複数本のローラー軸（１４）と複数の縦桟（１３２）で升目状に区切り、ローラー（１１）を升目縦方向２個に対して一個の割合でローラー軸（１４）上に配列し隣接軸間ではローラー有り無しをローラー軸（１４）方向に半ピッチずらして千鳥配置に配列し軸間隔を狭くしたローラーテーブルである。即ちローラー（１１）はローラー軸（１４）上の配列が横方向は１升飛びで、縦方向の隣接軸間ではローラー有り無しが反転した配列で、ローラー（１１）はいずれも両側を縦桟（１３２）で挟んでローラー軸（１４）上に回転自由に架設してある。図２で説明すると、ローラー軸（１４）上のローラー有無は左上から下へは有無の繰返し順で、左上から右へは無有の繰返し順である。縦桟（１３２）は前述の升目幅の間隔でローラー軸用の孔を設けてその孔にローラー軸（１４）を挿入してローラー（１１）とローラー軸（１４）を支持する構造としてある。組立て順序の１例を述べると、左側の左右フレーム（１２１）に前後フレーム（１２２）と縦桟（１３２）とで縦長の升目を作り、最上行のローラー軸（１４）位置にローラー（１１）を横方向に一つ飛びに配列してローラー軸（１４）を右横からローラー（１１）の軸孔、縦桟（１３２）の軸孔および左側の左右フレーム（１２１）の軸穴に挿入する。順次行を下げてローラー配列を上行のローラー軸（１４）のローラー配列と半ピッチずらして千鳥配置にしローラー軸（１４）を最上行と同様の方法で挿入する。最下行までローラー軸（１４）を挿入したら、最後に右側の左右フレーム（１２１）を取り付け右側の左右フレーム（１２１）の軸穴に各行のローラー軸（１４）を挿入、保持させてフレーム固定ボルト（１５）で固定すればよい。
ローラーテーブルのローラーの千鳥配置は普通の平行配列よりも踏み面（Ｓ）のローラー凹凸深さ（Ｖ）を小さくできる利点がある。
【０００９】
ローラーテーブル（１）の第２の実施例を図４に示す。ローラーテーブル（１）が左右２列のローラー（１１）群からなる例である。ローラー（１１）は左右フレーム（１２１）と中央部の縦桟（１３２）でローラー（１１）両端部のローラー軸（１４）部を回転自由に架設されている。ローラー（１１）は外郭が大小の２径で凹凸状に波打ったローラーであって、ローラー（１１）の外郭は隣接軸間で外郭凹凸を図のように千鳥配置に半ピッチずらし、凹を凸に噛合わせるようにして軸間隔を狭めてある。縦桟（１３２）の頂部は図示していないが踏み面（Ｓ）から少し凹ませてある。第２の実施例は簡単な構造であるが中央部の縦桟（１３２）部分が滑る床の働きをしない構造となっている。
【００１０】
ローラーテーブル（１）の第３の実施例を図５、６に示す。複数ローラーを１本のローラー軸（１４）上に架設したソロバン玉構造で成るローラーテーブルの例である。それぞれ半ピッチ分の大ローラー（１１３）と小ローラー（１１４）をローラー軸（１４）上に交互に配置して回転自由に架設、支持し、図の上下方向の隣接軸はローラー配列を半ピッチずらして大小のローラー（１１）を千鳥配置にし軸間隔を狭めた例である。そして、踏み面（Ｓ）強度の確保のため或る縦列、即ち図６では右から２番目の小ローラーに当たる部分は小ローラーを桟に接着固定した構造の上部小ローラー型縦桟（１３３）で、右端の大ローラー（１１３）真下に当たる部分は凹ませて隙間を設け、上部小ローラー型縦桟（１３３）の下辺の所々は横桟（１３１）で支持する構造としてある。このソロバン玉構造のローラーテーブル（１）はローラーの支持が容易なため、ローラー径を小さくした滑らかで広い踏み面（Ｓ）のローラーテーブルを構成できるのが特徴である。
【００１１】
ローラーテーブル（１）の踏み面（Ｓ）は運動用の床面となるため、当然、凹凸や隙間は少ない方がよいが、運動中に足裏に受ける踏み面（Ｓ）の感触と足裏マッサージ効果を考えると、ローラー径が３５ｍｍ程度以下で、踏み面（Ｓ）のローラー凹凸深さ（Ｖ）、ローラー軸方向間隙間（Ｔ）およびローラー径方向間隙間（Ｕ）は５ｍｍ程度以下が好適である。運動面で不具合感もなくマッサージ効果も充分得られる。ローラーの材質は強度と適度な剛性があれば、金属、プラスチック、木等の何れでもよいが、素足に受ける感触ではウレタンゴムを被覆したプラスチック製のものや吸湿性のある木竹製のものが優れている。
【００１２】
ローラーテーブル（１）のその他の応用例について説明する。
前述の第１から第３の実施例は踏み面（Ｓ）が平面の例であったが、応用としては踏み面（Ｓ）を踏み易く歩行の踏み足軌跡に近似した円弧または楕円弧状に凹んだ湾曲面に構成しても、また平面で成る前部、中央部、及び後部の３ローラーテーブル面を平行連続させ中央部を谷状に凹ませて配置、構成したローラーテーブル（１）でもよい。
【００１３】
手摺（２）は図１に示すようにローラーテーブル（１）の前方両側に左右フレーム（１２１）に接続、設置してあり、運動者が手で握り持って身体を安全な体勢に保持するためのもので高さ調整できる構造である。
【００１４】
腰部保持具（３）は図１に示すように運動者の腰部の位置を上下方向はある範囲内は自由に動くことができ、かつ水平方向はローラーテーブル（１）の中央部に保持して安定した運動ができるようにしながら足が滑って転倒し掛けても腰が着床、打撲することのないように空中に保持して安全を確保するためのものである。両側に止具凸部（３２）の付いたパンツ付ベルト（３１）を腰部に着けて、図７，８に示すように止具凹部（３３）に接続して使用する。止具（３２，３３）は自動車の安全ベルトの止具と同様に止具凸部（３２）を止具凹部（３３）に挿入接続する方式で、ワンタッチで脱着できるようにしてある。止具凹部（３３）の接続部反対側に設けた止具球部（３４）がローラーテーブル（１）の左右フレーム（１２１）の中央部両側に設置した中が空洞になった角管状の支柱（３５）の内部に支柱溝（３５１）を介して挿入、保持してあるため、止具凹部（３３）は上下方向には自由に摺動できるが、水平方向は左右の支柱（３５）で拘束され移動しない構造になっている。下限支柱止具（３６）は支柱（３５）の外周に上下に摺動できるように嵌めんだ角管状枠を止ネジ（３６１）で支柱（３５）に固定して止具凹部（３３）の摺動下限を設定する構造のもので、身体と運動内容に合せて腰部保持具（３）の安全下限位置を確保するように調整して位置決めし、固定するものである。支柱（３５）の上端部は安全確保のためにクッション部（３７２）を設けたキャップ（３７）で覆ってある。
【００１５】
引寄せゴム（４）は図１に示してあるが、運動者の脚を中央に寄せる様に作用し歩行等運動をし易く補助するためのもので、左右フレーム（１２１）に設置した４個の滑車でループ状にローラーテーブル（１）の踏み面から約１０ｃｍ程度の高さに支持してある。引寄せゴム（４）のループの中に両脚を入れて踏み面に立って歩行等の運動すると運動中の脚を中央に引戻すように働くため、運動しやすい。引寄せゴム（４）は滑車上を自由に移動するため、交互に前後に揺動運動する脚に対して前後方向の力のみが掛かり、左右方向の力はゼロとなり脚が擦れることはない。引寄せゴム（４）の張力は掛け本数で調整できる。引寄せゴム（４）はローラーテーブル（１）で初めて運動する人には手助けになる道具であるが、少し訓練して馴れてくると使わなくても自由に運動できるようになるため、その時は取外すとよい。
【００１６】
ストッパー（５）は図１に示してあるが、運動中に脚足が予期しない範囲にまで暴走しようとした時に、運動巾を所望の範囲に制限し安全を確保するためのものであって、ローラーテーブル（１）の左右フレーム（１２１）上に位置調整できるように取り付けてある。脚の当たる面は脚を保護するようにクッション材を被覆してある。
【００１７】
ローラーテーブル（１）を使った運動は水平保持が基本であるが、踏み面（Ｓ）の前方を上げて水平に対して５度前後傾斜させると、踏み面（Ｓ）を踏む足に後方向きの滑りが強く働き、面白いほど運動態様に変化がつく。図１に示す傾斜付加装置（６）は踏み面（Ｓ）を傾斜さて運動態様に変化をつけるための装置で、前方側の前後フレーム（１２２）の台板（１６）下にブロック状の台駒を敷き入れる駒入れ方式の例である。当然、他の方式でもよい。
【００１８】
【作用】本発明の基本的な作用について説明する。
ローラーテーブル（１）でなる運動用床即ち踏み面（Ｓ）は、面に垂直に掛かる力は動くことなく受け支えるが、前後方向の水平分力に対しては受け支えることなくローラーが遊転してあたかも氷面の如く滑る作用をする。このため、運動者は前後水平方向の運動を殆ど無抵抗で行えるが、姿勢を保つためには自らの身体筋肉を特に脚が前に滑って開いてしまわないようにコントロールして立つ必要が生ずる。しかしながら本発明のように手摺（２）や腰部保持具（３）、引寄せゴム（４）の補助具を使用すれば簡単に姿勢保持ができる。さらに、ローラーテーブル（１）を２列以上のローラー群で成る構成にすることにより、無端ベルト式の運動用器具ではできなかった両脚立摺足交互前後揺動運動の基本運動（図９の運動１を参照）が出来るようになった。そしてローラーテーブル（１）の滑る機能と、手摺（２）や腰部保持具（３）、引寄せゴム（４）の身体姿勢保持機能とを組合せることによって、種々の歩行等足腰の運動、姿勢、平衡感覚の訓練に役立つようになり、さらに運動中に踏み面（Ｓ）のローラー（１１）による踏み足へ足裏マッサージ作用で血行促進が加奏されようになった。
【００１９】
次に、基本運動の種類とその特徴的作用と運動負荷要素について簡単に述べる。図９は基本運動の動作概念を示した。体姿勢をポンチ絵で動作方向を矢印で示してある。
運動１：両脚立ち摺足交互前後揺動運動・腰部保持具（３）使用−特徴的作用：踏み面（Ｓ）上に両脚立ちしているが脚足を上げないで摺り足で運動する。足裏の踏み面（Ｓ）がローラーで滑るため脚腰の全筋肉をコントロールし脚を動かす筋肉と脚の動きを抑える筋肉とを同時に働かせながら運動する必要があり、平衡感覚、姿勢および筋肉の強化訓練が固定床面の歩行よりも効果的に図られる−（手摺利用の有無、歩巾、速度、引寄せゴム有無、普通立ち・爪先立ち・中腰立ち、傾斜付加で運動負荷が変化する）
運動２：歩行・徒走運動・腰部保持具（３）使用−特徴的作用：踏み面（Ｓ）が滑る状態で片脚を上げてもう一方の脚で立ち歩く運動のため脚腰の全筋肉を運動１より強くコントロールする必要があり、平衡感覚、姿勢および筋肉の強化訓練がより効果的に図られる−（歩巾、速度、引寄せゴム有無、踏み面傾斜で運動負荷が変化する）
運動３：脚ストレッチ運動−特徴的作用：踏み面（Ｓ）がローラーで滑るためストレッチ運動がしやすく、筋肉強化訓練が効果的に図られる−（前後開閉脚、横向き横開閉脚）（巾、速度で運動負荷が変化する）
運動４：四這屈伸運動、踏床（１２３）に手または足を載せる・腰部保持具、引寄せゴム（４）およびストッパー（５）は使わない−特徴的作用：踏み面（Ｓ）がローラーで滑るためストレッチ運動がしやすく、筋肉強化訓練が効果的に図られる−（巾、速度で運動負荷が変化する）
運動５：後手着四這屈伸運動、踏床（１２３）に手を載せる・腰部保持具、引寄せゴム（４）およびストッパー（５）は使わない−特徴的作用：踏み面（Ｓ）がローラーで滑るためストレッチ運動がしやすく、筋肉強化が図られる−（巾、速度で運動負荷が変化する）
【００２０】
目的から見た運動の種類と運動強度レベルについて述べる。
リハビリテーションに適用される運動は運動１および運動２である。初めの段階では手摺（２）に掴って必要に応じて引寄せゴム（４）を使いながら歩幅を狭めてゆっくりした速度で運動を行うのがよい。
また、手摺（３）を使わない運動は踏み面（Ｓ）が滑ることから姿勢よくバランスをとって立つ必要があり、姿勢・平衡感覚の難度の訓練に好適なものである。
美容スタイル作りには、運動１および２（手摺を使わない、普通立ちさらには爪先立ち）、運動３、４および５（遅い速度）が好適である。
強健者の鍛錬には、大歩幅、高速度、手摺を使わない、引寄せゴム（４）大張力、傾斜付加の運動１および２、大巾、高速度の運動３、４および５が好適である。
水泳およびスケート選手には、手摺を使わない運動１が好適である。
短距離走選手の鍛錬には、高速度、引寄せゴム（４）無し、手摺を使わない、傾斜付加の運動１および２が好適である。
【００２１】
本発明の運動用器具の使用方法について説明する。
事前に身体および運動内容に合せて下限支柱止具（３６）の高さ、手摺（２）高さ、ストッパー（５）位置、引寄せゴム（４）の張力および傾斜付加装置有無を選択し、調整する。次に腰部保持具（３）を着けて支柱（３５）に掴って、ローラーテーブル（１）の踏み面（Ｓ）に立ち載り左右の止具凸部（３２）を止部凹部（３３）に挿入接続して運動準備完了である。その後は運動目的、体力および訓レベルに応じて運動すればよい。歩幅や速度を変えたり、足裏への体重の掛け方を変えたり、手摺（２）から手を放したりするだけでも使う筋肉の位置が変わったり足裏へのローラー（１１）によるマッサージ刺激が変わるため、色々変化をつけて楽しく運動するのがよい。
【００２２】
運動を始めるに当たっての注意点について説明する。
やさしい運動である運動１即ち両脚立ち摺足交互前後揺動運動から始めるのがよい。
運動負荷レベルを下げて、即ち引寄せゴム（４）のフープに両脚を入れて素足で立ち、手摺（２）に掴って歩幅を小さゆっくりした速度で運動を始め、徐々に歩幅、速度を上げ、ローラーテーブル（１）の踏み面（Ｓ）特性と運動１の特性に充分に馴れる必要がある。
数時間程度の訓練で馴れてくる。やがて引寄せゴム（４）を使わなくても安定して運動ができるようになる。
さらに訓練し馴れてくると、手摺（２）を使わなくても安定して運動ができるようになる。
また、踏み面（Ｓ）のローラー（１１）によるマッサージ刺激が強すぎる人の場合は足袋や靴下等を履いて運動するのがよい。
特に、運動２の歩行・徒走運動は高度な平衡感覚が要るため、踏み面（Ｓ）および運動１特性に充分に馴れてから小歩幅の運動から注意して始めるのがよい。
【００２３】
【発明の効果】
以上説明したように、本発明は、足腰の筋力、平衡感覚および姿勢のリハビリテーションや美容スタイル訓練、各段階の体力強化訓練・鍛錬のための歩行等の各種運動を、老若男女の弱者からスポーツマン等の筋力の強い強健者に合わせた運動負荷で、運動中に足裏マッサージを付与しながら、行うことができる便利な動力の要らない運動用器具である。
【図面の簡単な説明】
【図１】本発明の実施例１の斜視図
【図２】ローラーテーブル（１）の第１例で、右半分断面の平面図
【図３】図２のＡＡ断面の側面図
【図４】ローラーテーブル（１）の第２例の右半分断面の平面図
【図５】ローラーテーブル（１）の第３例の右半分断面の平面図
【図６】図５のＢＢ断面の側面図
【図７】腰部保持具（３）の止具以降部材の一部断面の正面図
【図８】図７の一部断面の平面図
【符号の説明】
１    ローラーテーブル
１１    ローラー、  １１１    千鳥配置第１列
１１２    千鳥配置第２列、  １１３    大ローラー
１１４    小ローラー
１２    フレーム、  １２１    左右フレーム
１２２    前後フレーム、  １２３    踏床
１３    桟、  １３１    横桟、  １３２    縦桟
１３３    上部小ローラー型縦桟
１４    ローラー軸、  １４１    千鳥配置第１列
１４２    千鳥配置第２列
１５    フレーム固定ボルト
１６    台板
２    手摺
３    腰部保持具
３１    パンツ付ベルト
３２    止具凸部
３３    止具凹部    ３３１    鉤部、  ３３２    着脱操作部
３３３    スプリング
３４  止具球部
３５    支柱、  ３５１    支柱溝
３６    下限支柱止具、  ３６１  止ネジ
３７    キャップ、  ３７１    殻部、  ３７２    クッション部
４    引寄せゴム
５    ストッパー
６    傾斜付加装置
Ｓ    踏み面
Ｔ    軸方向ローラー間隙間
Ｕ    径方向ローラー間隙間
Ｖ    ローラー凹凸深さ
Ｗ    押込み方向
【図１】
2004154511.tif 000003
【図２】
2004154511.tif 000004
【図３】
2004154511.tif 000005
【図４】
2004154511.tif 000006
【図５】
2004154511.tif 000007
【図６】
2004154511.tif 000008
【図７】
2004154511.tif 000009
【図８】
2004154511.tif 000010
【図９】
2004154511.tif 000011
【手続補正書】
【提出日】平成15年2月4日(2003.2.4)
【手続補正１】
【補正対象書類名】明細書
【補正対象項目名】図面の簡単な説明
【補正方法】変更
【補正の内容】
【図面の簡単な説明】
【図１】本発明の実施例１の斜視図
【図２】ローラーテーブル（１）の第１例で、右半分断面の平面図
【図３】図２のＡＡ断面の側面図
【図４】ローラーテーブル（１）の第２例の右半分断面の平面図
【図５】ローラーテーブル（１）の第３例の右半分断面の平面図
【図６】図５のＢＢ断面の側面図
【図７】腰部保持具（３）の止具以降部材の一部断面の正面図
【図８】図７の一部断面の平面図
【図９】基本運動の動作概念図
【符号の説明】
１    ローラーテーブル
１１    ローラー、    １１１    千鳥配置第１列
１１２    千鳥配置第２列、    １１３    大ローラー
１１４    小ローラー
１２    フレーム、    １２１    左右フレーム
１２２    前後フレーム、    １２３    踏床
１３    桟、    １３１    横桟、  １３２    縦桟
１３３    上部小ローラー型縦桟
１４    ローラー軸、    １４１    千鳥配置第１列
１４２    千鳥配置第２列
１５    フレーム固定ボルト
１６    台板
２    手摺
３    腰部保持具
３１    パンツ付ベルト
３２    止具凸部
３３    止具凹部    ３３１    鉤部、  ３３２    着脱操作部
３３３    スプリング
３４  止具球部
３５    支柱、  ３５１    支柱溝
３６    下限支柱止具、  ３６１  止ネジ
３７    キャップ、  ３７１    殻部、  ３７２    クッション部
４    引寄せゴム
５    ストッパー
６    傾斜付加装置
Ｓ    踏み面
Ｔ    軸方向ローラー間隙間
Ｕ    径方向ローラー間隙間
Ｖ    ローラー凹凸深さ
Ｗ    押込み方向